(57)【特許請求の範囲】
【請求項１】
ハンドオーバー中においてセカンダリセル（SCell）を解放する方法であって、
ソースeNBが、少なくとも１つのSCellをユーザー端末（ＵＥ）に構成設定するステップ；
前記ソースeNBが、前記ＵＥに対して構成設定された全てのSCellのSCellインデックスをHandoverPreparationInformationメッセージ中に含めた上で、前記ソースeNBが、ターゲットeNBに対して前記HandoverPreparationInformationメッセージを送信するステップ；
前記ソースeNBが、前記ターゲットeNBからHandoverRequestAckメッセージを受信するステップであって、前記HandoverRequestAckメッセージは、ハンドオーバー命令を含んでおり、前記ハンドオーバー命令は、前記ＵＥに対して構成設定された全てのSCellのインデックスから成るリストであるsCellToReleaseListを含む、ステップ；および、
前記ソースeNBが、RRCConnectionReconfigurationメッセージを、前記ハンドオーバー命令に基づいて生成した上で、前記ソースeNBが、前記RRCConnectionReconfigurationメッセージを前記ユーザー端末（ＵＥ）に対して送信するステップ；
を備え、前記RRCConnectionReconfigurationメッセージは、前記ユーザー端末（ＵＥ）が前記ＵＥに対して構成設定された全てのSCellを解放するようにさせるために、前記sCellToReleaseListを含む、ことを特徴とする方法。
【請求項２】
前記RRCConnectionReconfigurationメッセージは、mobilityControlInfoをさらに含む、請求項１に記載の方法。
【請求項３】
前記RRCConnectionReconfigurationメッセージは、前記ソースeNBから前記ユーザー端末に送信され、ハンドオーバー手順を起動する請求項１に記載の方法。
【請求項４】
前記HandoverPreparationInformationメッセージは、前記ソースeNBから前記ターゲットeNBに送信され、ハンドオーバーを要求する請求項１に記載の方法。
【請求項５】
前記ハンドオーバーは、eNB間ハンドオーバーである請求項１に記載の方法。
【請求項６】
無線通信システムに用いる通信装置であって、前記通信装置は、
制御回路、
前記制御回路に設置されたプロセッサ、及び
前記制御回路に設置され、且つ前記プロセッサに接続されたメモリを含み、
前記プロセッサは、メモリに保存されたプログラムコードを実行するように構成され、前記プログラムコードは：
ソースeNBが、少なくとも１つのSCellをユーザー端末（ＵＥ）に構成設定する動作；
前記ソースeNBが、前記ＵＥに対して構成設定された全てのSCellのSCellインデックスをHandoverPreparationInformationメッセージ中に含めた上で、前記ソースeNBが、ターゲットeNBに対して前記HandoverPreparationInformationメッセージを送信する動作；
前記ソースeNBが、前記ターゲットeNBからHandoverRequestAckメッセージを受信する動作であって、前記HandoverRequestAckメッセージは、ハンドオーバー命令を含んでおり、前記ハンドオーバー命令は、前記ＵＥに対して構成設定された全てのSCellのインデックスから成るリストであるsCellToReleaseListを含む、動作；および、
前記ソースeNBが、RRCConnectionReconfigurationメッセージを、前記ハンドオーバー命令に基づいて生成した上で、前記ソースeNBが、前記RRCConnectionReconfigurationメッセージを前記ユーザー端末（ＵＥ）に対して送信する動作；を前記プロセッサに実行させ、
前記RRCConnectionReconfigurationメッセージは、前記ユーザー端末（ＵＥ）が、前記ＵＥに対して構成設定された全てのSCellを解放するようにさせるために、前記sCellToReleaseListを含む、ことを特徴とする装置。
【請求項７】
前記RRCConnectionReconfigurationメッセージは、mobilityControlInfoをさらに含む、請求項６に記載の装置。
【請求項８】
前記RRCConnectionReconfigurationメッセージは、前記ソースeNBから前記ユーザー端末（ＵＥ）に送信され、ハンドオーバー手順を起動する請求項６に記載の装置。
【請求項９】
前記HandoverPreparationInformationメッセージは、前記ソースeNBから前記ターゲットeNBに送信され、ハンドオーバーを要求する請求項６に記載の装置。
【請求項１０】
前記ハンドオーバーは、eNB間ハンドオーバーである請求項６に記載の装置。
【発明の詳細な説明】
【技術分野】
【０００１】
本発明は、無線通信ネットワークに関し、特に、無線通信システムのハンドオーバー中にセカンダリセル（SCell）を解放（release）する方法及び装置に関するものである。
【背景技術】
【０００２】
モバイル通信デバイスへの、及びモバイル通信デバイスからの大量のデータ通信のための需要が急上昇していることに伴って、従来のモバイル音声通信ネットワークは、インターネットプロトコル（IP）データパケットと通信するネットワークに発展した。このようなIPデータパケット通信は、ユーザにボイスオーバーIP、マルチメディア、マルチキャスト、及びオンデマンド通信サービスを備えるモバイル通信デバイスを提供し得る。
【０００３】
標準化が現在行われている模範的なネットワーク構造は、第三世代無線アクセス技術のアクセスネットワークの進化（Evolved  Universal  Terrestrial  Radio  Access  Network；E-UTRAN）である。E-UTRANシステムは、上述のボイスオーバーIP及びマルチメディアサービスを実行するために、高データスループットを提供し得る。E-UTRANシステムの標準化作業は、３GPP標準化機関によって現在行われている。よって、３GPP標準化の現在の機関への移行が目下、検討されており、３GPP標準化を発展させることを図っている。
【発明の概要】
【発明が解決しようとする課題】
【０００４】
無線通信システムのハンドオーバー中にセカンダリセルを解放する方法及び装置を提供する。
【課題を解決するための手段】
【０００５】
１つの態様に基づき、ハンドオーバー中のセカンダリセル（SCcell）を解放する方法は、ソースeNBによって、HandoverPreparationInformation  メッセージに情報を含み、ターゲットeNBにハンドオーバー中、ユーザー端末（UE）のSCell解放を制御させるステップを含む。
【０００６】
１つの態様に基づき、ハンドオーバー中のセカンダリセル（SCcell）を解放する方法は、ターゲットeNBによって、ハンドオーバー命令にインジケータを含み、ユーザー端末（UE）に全ての構成設定されたSCellを解放するかどうかを判定させるステップを含む。
【図面の簡単な説明】
【０００７】
本発明は、添付の図面と併せて後に続く詳細な説明と実施例を解釈することによって、より完全に理解されることができる。
【図１】１つの実施の形態に基づく、無線通信システムの図を表している。
【図２】１つの実施の形態に基づく、図１の無線通信システムのユーザプレーンのプロトコルスタックを表している。
【図３】１つの実施の形態に基づく、図１の無線通信システムの制御プレーンのプロトコルスタックを表している。
【図４】１つの実施の形態に基づく、送信システム（アクセスネットワークとも知られる）及び受信システム（ユーザー端末またはUEとも知られる）のブロック図である。
【図５】１つの実施の形態に基づく、通信デバイスの機能ブロック図である。
【図６】１つの実施の形態に基づく、ハンドオーバー中のセカンダリセル（SCell）の方法を表している。
【図７】１つの実施の形態に基づく、ハンドオーバー中のSCellの方法を表している。
【発明を実施するための形態】
【０００８】
以下に述べられる模範的な通信システム及び装置は、放送サービスをサポートする。無線通信システムは、例えば、音声、データなどの各種の通信を提供するのに広く用いられる。これらのシステムは、符号分割多重接続（CDMA）、時分割多元接続（TDMA）、直交周波数分割多重接続（OFDMA）、３GPPロングタームエボリューション（Long  Term  Evolution；LTE）無線アクセス、３GPP  ロングタームエボリューションアドバンスト（LTE-A）、３GPP２  ウルトラモバイルブロードバンド（UMB）、ワイマックス（WiMax）、または他の変調技術に基づくことが可能である。
【０００９】
特に、以下に述べられる模範的な無線通信システムは、３GPPと称される、“第３世代（３G）移動体通信システム（3rd  Generation  Partnership  Project）”という名称のコンソーシアムによって提供される規格などの１つ以上の規格をサポートするように設計され得る。これらの規格は、文書Nos.  TS  ３６.３３１−９４０、TS  ３６.３００−９５０、及びR２−１０５９７１を含む。上述にリストされた規格と文書は、本願に明確に援用される。
【００１０】
一模範的な実施の形態に基づく、モバイル通信システムとしてのE-UTRANの模範的なネットワーク構造１００は、図１に図示される。E-UTRANシステムは、ロングタームエボリューション（LET）システムまたはロングタームエボリューションアドバンスト（LTE-A）としても称され得る。E-UTRANは、一般的に、モバイル音声通信ネットワークの基地局に類似して機能する基地局（eNode  BまたはeNB）１０２を含む。各eNBは、X２インターフェースによって接続される。eNBは、無線インターフェースによって端子、またはユーザー端末（UE）１０４に接続され、S１インターフェースによって移動管理装置（MME）またはサービングゲートウェイ（S-GW）１０６に接続される。
【００１１】
図２及び図３を用いて説明する。一模範的な実施の形態に基づく、LTEシステムは、制御プレーン１０８のプロトコルスタック（図３に図示される）及びユーザプレーン１１０のプロトコルスタック（図２に図示される）に分割される。制御プレーンは、UEとeNB間の制御信号を交換する機能を実行し、ユーザプレーンは、UEとeNB間のユーザデータを伝送する機能を実行する。図２と図３を用いて説明すると、制御プレーン及びユーザプレーンの両方は、パケットデータコンバージェンスプロトコル（PDCP）層、無線リンク制御（RLC）層、媒体アクセス制御（MAC）層、及び物理（PHY）層を含む。制御プレーンは、無線リソース制御（RRC）層を更に含む。制御プレーンは、特に進化パケットシステム（EPS）ベアラ管理、認証、及び安全制御を含んで実行する、ネットワークアクセスストラタム（Network  Access  Stratum；NAS）層も含む。
【００１２】
PHY層は、無線伝送技術を用いる情報伝送サービスを提供し、開放型システム間相互接続（OSI）層の第１層に対応する。PHY層は、トランスポートチャネルによってMAC層に接続される。MAC層とPHY層間のデータ交換は、トランスポートチャネルによって実行される。トランスポートチャネルは、特定のデータがPHY層で処理される方式によって定義される。
【００１３】
MAC層は、論理チャネルによってRLC層から伝送されたデータを適切なトランスポートチャネルによってPHY層に伝送する機能を実行し、トランスポートチャネルによってPHY層から伝送されたデータを適切な論理チャネルによってRLC層に伝送する機能を更に実行する。また、MAC層は、論理チャネルによって受けたデータ内に追加の情報を挿入し、トランスポートチャネルによって受けたデータから挿入された追加の情報を分析し、適切な動作を実行してランダムアクセス動作を制御する。
【００１４】
MAC層及びRLC層は、論理チャネルによって互いに接続される。RLC層は、論理チャネルの設定と解放を制御し、確認応答モード（AM）動作モード、非確認応答モード（AM）動作モード、及び透過モード（TM）動作モードの１つを動作し得る。一般的に、RLC層は、上層から送られたサービスデータユニット（SDU）を適切な大きさで分割し、その逆もまた同様である。また、RLC層は、自動再送要求（ARQ）によって誤り訂正機能を管理する。
【００１５】
PDCP層は、RLC層の上方に配置され、IPパケットのフォームで伝送されたデータのヘッダー圧縮機能、及びユーザー端末の移動により、無線ネットワーク制御装置（RNC）がサービス変更を提供した時も損失のないデータを伝送する機能を実行する。
【００１６】
RRC層は、制御プレーンにのみ定義される。RRC層は、無線ベアラ（RB）の確立、再設定、及び解放に関する論理チャネル、トランスポートチャネル、及び物理チャネルを制御する。ここでは、無線ベアラは、端子とE-UTRAN間のデータ伝送用にOSI層の第２層によって提供されたサービスを示している。RRC接続がUEのRRC層と無線ネットワークのRRC層との間に確立された場合、UEは、RRC接続モードにある。RRC接続モードでなければ、UEは、RRCアイドルモードにある。
【００１７】
図４は、多入力多出力（Multiple-Input  Multiple-Output；MIMO）システム２００内の送信システム２１０（アクセスネットワークとも知られる）及び受信システム２５０（アクセス端末またはUEとも知られる）の模範的な実施の形態の基本ブロック図である。送信システム２１０では、複数のデータストリームのトラフィックデータは、データソース２１２から送信（TX）データプロセッサ２１４に提供される。
【００１８】
１つの実施の形態において、各データストリームは、対応する送信アンテナ上に伝送される。TXデータプロセッサ２１４は、コード化されたデータを提供するデータストリームに選択された特定のコード体系に基づき、各データストリームのトラフィックデータをフォーマット化し、コード化して、インターリーブする。
【００１９】
各データストリームのコード化されたデータは、OFDM技術を用いてパイロットデータで多重化され得る。パイロットデータは、一般的に従来の方式で処理される従来のデータパターンであり、受信システムに用いられてチャネル応答を推定し得る。次いで、各データストリームの多重化されたパイロット及びコード化されたデータは、変調シンボルを提供する各データストリームに選択された特定の変調方式（例えば、BPSK、QPSK、  M-PSK、またはM-QAM）に基づき、変調される（即ち、シンボルマップされる（symbol  mapped））。各データストリームのデータ転送速度、コーディング、及び変調は、プロセッサ２３０によって実行される命令によって決定され得る。
【００２０】
次いで、全てのデータストリームの変調シンボルは、TX  MIMOプロセッサ２２０に提供され、変調シンボルを更に処理し得る（例えばOFDMの）。次いで、TX  MIMOプロセッサ２２０は、NT変調シンボルストリームをNT送信機（TMTR）２２２a〜２２２tに提供する。ある実施の形態において、TX  MIMOプロセッサ２２０は、ビーム形成重量をデータストリームのシンボルに、且つシンボルが伝送されているアンテナに用いている。
【００２１】
各送信機２２２は、各々のシンボルストリームを受けて処理し、１つ以上のアナログ信号を提供し、アナログ信号を更に調整（例えば増幅、フィルタリング、及びアップコンバート）して、伝送に好適に変調された信号をMIMOチャネルに提供する。次いで、送信機２２２a〜２２２tのNT変調信号は、それぞれNTアンテナ２２４a〜２２４tから伝送される。
【００２２】
受信システム２５０では、伝送された変調信号は、NRアンテナ２５２a〜２５２rによって受けられ、各アンテナ２５２から受信した信号は、各々の受信機（RCVR）２５４a〜２５４rに提供される。各受信機２５４は、各々の受信した信号を調整（例えば増幅、フィルタリング、及びアップコンバート）して、調整された信号をデジタル化してサンプルに提供し、サンプルを処理して対応する“受信した”シンボルストリームを提供する。
【００２３】
次いで、RXデータプロセッサ２６０は、特定の受信機処理技術に基づき、NR受信機２５４からNR受信シンボルストリームを受けて処理し、NT“検出した”シンボルストリームを提供する。次いで、RXデータプロセッサ２６０は、各検出されたシンボルストリームを再変調し、インターリーブし、デコードしてデータストリームのトラフィックデータを復元する。RXデータプロセッサ２６０による処理は、送信システム２１０でTX  MIMOプロセッサ２２０及びTX  データプロセッサ２１４によって実行される処理と相補的である。
【００２４】
プロセッサ２７０は、どのプリコーディングマトリクスを用いるかを周期的に決定する（後述される）。プロセッサ２７０は、マトリクスインデックス（matrix  index）部分とランク値（rank  value）部分を含む逆方向リンクメッセージを定式化（formulate）する。
【００２５】
逆方向リンクメッセージは、通信リンク及び／または受けたデータストリームに関する情報の種々のタイプを含み得る。次いで、逆方向リンクメッセージは、データソース２３６から複数のデータストリームのトラフィックデータも受けるTX  データプロセッサ２３８によって実行され、変調器２８０によって変調され、受信機２５４a〜２５４rによって調整されて受信機システム２１０に返送される。
【００２６】
送信システム２１０では、受信システム２５０からの変調された信号は、アンテナ２２４によって受信され、受信機２２２によって調整され、復調器２４０によって復調され、RXデータプロセッサ２４２によって処理され、受信システム２５０によって伝送された逆リンクメッセージを抽出する。次いで、プロセッサ２３０は、ビーム形成重量を決めるのに、どのプリコーディングマトリクスを用いるかを決め、次いで抽出されたメッセージを処理する。
【００２７】
図５を用いて説明する。この図は、一模範的な実施の形態に基づく、通信デバイスの代替的な簡略化した機能的なブロック図を表している。無線通信システムの通信デバイス３００は、図１のUE１０４を実行するのに用いられることができ、無線通信システムは、LTEシステム、LTE-Aシステムなどが好ましい。通信デバイス３００は、入力デバイス３０２、出力デバイス３０４、制御回路３０６、中央処理装置（CPU）３０８、メモリ３１０、プログラムコード３１２、及び送受信機３１４を含み得る。プログラムコード３１２は、PHY層を除く、上述の応用層、及び制御プレーン１０８の層、及びユーザプレーン１１０の層を含む。制御回路３０６は、CPU３０８によってメモリ３１０のプログラムコード３１２を実行して、通信デバイス３００の動作を制御する。通信デバイス３００は、キーボードまたはキーパッドなどの入力デバイス３０２を介してユーザーによって入力した信号を受信し、出力デバイス３０４を介して、モニタまたはスピーカなどの画像及び音声を出力し得る。送受信機３１４は、無線信号を受信及び送信するのに用いられ、受信した信号を制御回路３０６に送り、無線で制御回路３０６によって発生された信号を出力する。
【００２８】
ロングタームエボリューションダウンリンク（LTE  DL）伝送方式は、直交周波数分割多重接続（OFDMA）に基づき、LTEアップリンク（UL）伝送方式は、シングルキャリア（SC）離散フーリエ変換（DFT）拡散OFDMA（DFT-S-OFDMA）、または同等に、シングルキャリア周波数分割多重接続（SC-FDMA）に基づく。しかしながら、LTEアドバンスト（LTE-A）は、DLとULの両方向で、より高い帯域幅の要求を満たすように設計される。より高い帯域幅の要求を提供するために、LTE-Aは、コンポーネントキャリアアグリゲーション（CA）を用いる。キャリアアグリゲーション（CA）の送受信能力を有するユーザー端末（UE）は、複数のコンポーネントキャリア（CC）を同時に受信及び／または送信できる。キャリアは、帯域幅及び中心周波数によって定義される。
【００２９】
CAの動作（operation）に関連している物理層に用いられるいくつかの物理制御チャネルがある。物理ダウンリンク制御チャネル（PDCCH）は、ページングチャネル（PCH）とダウンリンク共有チャネル（DL-SCH）のリソース割り当てに関して、且つDL-SCHと関連するハイブリッド自動再送要求（HARQ）情報に関してユーザー端末に知らせる。PDCCHは、アップリンク伝送のリソース割り当てに関してユーザー端末に知らせるアップリンクスケジューリンググラント（uplink  scheduling  grant）を搬送する。物理制御フォーマット指示チャネル（PCFICH）は、PDCCHに用いられ、且つ各サブフレームに伝送されたOFDMシンボルの数に関してユーザー端末に知らせる。物理ハイブリッドARQ指示チャネル（PHICH）は、アップリンク伝送に応じてHARQ  ACK／NAK信号を搬送する。物理アップリンク制御チャネル（PUCCH）は、ダウンリンク伝送、スケジューリング要求、及びチャネル品質情報（CQI）に応じてHARQ  ACK／NAK信号などのアップリンク制御情報を搬送する。物理アップリンク共有チャネル（PUSCH）は、アップリンク共有チャネルを（UL-SCH）を搬送する。
【００３０】
キャリアは、プライマリコンポーネントキャリア（PCC）及びセカンダリコンポーネントキャリア（SCC）に分けられ得る。PCCは、絶えず起動されているキャリアであり、SCCは、トラフィック状態（traffic  status）に応じて起動される、または起動されないキャリアである。起動状態のコンポーネントキャリアとは、トラフィックデータの送信または受信が実行され得るか、またはトラフィックデータが特定のCC上で送信または受信の準備ができていることを指している。
起動しない状態のコンポーネントキャリアとは、トラフィックデータの送信または受信が特定のCC上で実行されないことを指している。ユーザー端末は、単一のPCCのみ、またはPCCのほかに１つ以上のSCCを用いる。
【００３１】
PCCは、eNBによって用いられ、ユーザー端末とのトラフィック及びPHY／MAC制御信号を交換する。SCCは、ユーザー端末がトラフィックに用い得る追加のキャリであり、eNB当たり、特定の命令と規則だけがPCC上で受けられる。PCCは、完全に構成設定された（configured）キャリアであり得、PCCによって、主要制御情報がeNBとユーザー端末間で交換される。SCCは、完全に構成設定されたキャリアか、または部分的に構成設定されたキャリアであり得、ユーザー端末の要求に応じてまたはeNBの命令に応じて割り当てられる。PCCは、ネットワーク内にUEを加えるために、または、SCCの割り当てのために用いられ得る。PCCは、ハンドオーバー手順によって変更され得る。
【００３２】
LTEでは、プライマリセルは、ユーザーが初期の接続確立の手順を実行するか、または接続再確立の手順を初期化するかのどちらかで、一次周波数で動作するセル、またはハンドオーバー手順でプライマリセルとして指定されるセルを含む。ユーザー端末は、PCellを用いて、保護機能及び例えばNASのモビリティ（mobility）情報などの上層システム情報のためのパラメータを得る。セカンダリセル（SCell）は、RRC接続が一旦確立された後に構成設定され得る、または追加の無線リソースを提供するのに用いられ得る二次周波数で動作するセルを含む。SCellがユーザー端末の構成設定に加えられた時、特定のSCellの動作に関連したシステム情報は、通常、専用信号を用いて提供される。基本的に、PCellは、アップリンクPCC及びダウンリンクPCCを含み、ユーザー端末に構成設定されたSCellは、ダウンリンクSCCまたはダウンリンクSCCのほかにアップリンクSCCを含むことができる。
【００３３】
RRC_CONNECTED  状態では、ネットワークは、ユーザー端末のモビリティを制御する。RRC_CONNECTED  状態でネットワーク制御されたモビリティでは、ユーザー端末のモビリティは、ハンドオーバー手順で実現され、ネットワークによって誘発される。ネットワークは、先ずユーザー端末を構成設定し、測定報告することでハンドオーバーを起動するか、またはユーザー端末からの測定報告を受けずにハンドオーバーを起動することができる。
【００３４】
CAをサポートするユーザー端末では、E-UTRANは、mobilityControlInfoを含むRRCConnectionReconfigurationメッセージを用いてハンドオーバー手順によってPCellを変えることができる。RRCConnectionReconfigurationメッセージは、RRC接続を修正する命令である。RRCConnectionReconfigurationメッセージは、測定構成設定、モビリティ制御、任意の関連の専用NAS情報を含む無線リソース構成（RBs、MAC主要構成、及び物理チャネル構成を含む）及びセキュリティ構成設定に用いる情報を伝達することができる。E-UTRANは、RRCConnectionReconfigurationメッセージを用いてRRC接続構成設定手順によってSCellを単独に追加、除去、または修正することができ、mobilityControlInfoを含む、または含まないことができる。
【００３５】
ユーザー端末にハンドオーバーメッセージを送信する前に、ソースeNBは、まずターゲットeNBを選択する。ソースeNBは、ターゲットeNBをセルのリストに提供してもよい。ターゲットeNBは、ハンドオーバー後にどのサービングセルを用いるように構成設定されるかを決定し、ソースeNBによって提供されたセルでないセルを含んでもよい。ターゲットeNBは、ハンドオーバーを起動する、１つのPCell、または１つのPCellのほかに少なくとも１つのSCellを含むメッセージを発生する。ハンドオーバーメッセージを受信した後、ユーザー端末は、定義されたランダムアクセスリソースの選択に応じて、第１の利用可能なランダムアクセスチャネル（RACH）機会（occasion）でターゲットPCellにアクセスするのを試みる。ハンドオーバーが正常終了した時、ユーザー端末は、メッセージを送信し、ハンドオーバーを確認する。
【００３６】
目下、異なるeNBは、キャリアアグリゲーションを行うのに同じSCellを共有しないため、SCell構成設定がデルタコンフィギュレーション（delta  configuration）のために、ターゲットeNBに転送される必要がない。よって、ユーザー端末に構成設定された全ての現在のSCellsは、eNB間（inter-eNB）のハンドオーバーを行う時に解放される必要がある。eNB間のハンドオーバーを行う前にユーザー端末に構成設定されたScellsが解放されない場合、新しいターゲットeNBによって新たに構成設定されたSCellは、  ユーザー端末によって同じSCellインデックスを有する既存のSCellに対して修正をするものと見なされる。よって、ユーザー端末に構成設定された全ての現在のSCellsは、eNB間（inter-eNB）のハンドオーバーを行う時に解放されなければならない。
【００３７】
しかしながら、ユーザー端末にハンドオーバーがeNB内（intra-eNB）か、またはeNB間ハンドオーバーかを判別させる情報は、目下RRCConnectionReconfigurationメッセージに含まれていない。その結果、ターゲットeNBは、ユーザー端末に構成設定されるSCellが実際にない時でも、ユーザー端末に全ての構成設定される可能性のあるSCellsを解放させるために、ハンドオーバー命令内に全ての有効なSCellインデックスを有するsCellToReleaseListを含まなければならない。
【００３８】
目下、７つの有効値のSCellインデックスがあり、sCellToReleaseList内にあるSCellインデックスの最大数は、４つだけである。ハンドオーバー命令は、ユーザー端末で用いられ得る全ての可能なSCellインデックスを含むことはできない。よって、１つの追加のRRCConnectionReconfigurationメッセージがユーザー端末の全てのSCellを解放するために必要である。結果、シグナリングオーバーヘッドが大幅に増加される。
【００３９】
本発明の一態様に基づいて、上述のハンドオーバー中のシグナリングオーバーヘッドを回避するために、情報は、HandoverPreparationInformation  メッセージのソースeNBによって含められ、ターゲットeNBにeNB間のハンドオーバー手順中、ユーザー端子のSCell解放を制御する。より具体的に言えば、情報は、特定のユーザー端末に構成設定された全てのSCellのSCellインデックスを指すため、ターゲットeNBにRRCConnectionReconfigurationメッセージにユーザー端末に構成設定されたScellsを有するsCellToReleaseListを含ませることで、ユーザー端末は、sCellToReleaseListに応じてSCellを解放することができる。
【００４０】
本発明の一態様に基づいて、上述のハンドオーバー中のシグナリングオーバーヘッドを回避するために、インジケータは、RRCConnectionReconfiguration  メッセージのターゲットeNBによって含められ、ユーザー端末にハンドオーバーがeNB内か、またはeNB間ハンドオーバーかを判別させる。ハンドオーバーがeNB間ハンドオーバーである場合、全ての構成設定されたSCellを解放する。
【００４１】
上述の例示的な実施形態は、図６及び図７を参照に以下に更に詳細が説明される。
【００４２】
図６を用いて説明する。１つの例示的な実施形態に基づくハンドオーバー中のSCell解放の方法５００は、５０２でソースeNBによって、少なくとも１つのSCellをユーザー端末に構成設定し、５０４でハンドオーバー決定が行われた後、５０６で  ソースeNBによって、HandoverPreparationInformation  メッセージに情報を含み、ターゲットeNBにハンドオーバー中、ユーザー端末のSCell解放を制御させるステップを含む。含まれた情報は、ユーザー端末に構成設定された全てのSCellのSCellインデックスを指しているため、ターゲットeNBにハンドオーバー命令中にユーザー端末に構成設定されたSCellを有するsCellToReleaseList  を含ませる。ハンドオーバー命令は、５０８でソースeNBに送信されるハンドオーバー要求Ackメッセージに含まれる。HandoverPreparationInformationメッセージは、candidateCellInfoList  を含んでもよく、ターゲットeNBにハンドオーバー後に用いるSCellとして選択させる。次いで５１０で、ソースeNBは、mobilityControlInfo  及びsCellToReleaseListを含むRRCConnectionReconfigurationメッセージをユーザー端末に送信する。これを受けて５１２では、ユーザー端末は、RRCConnectionReconfigurationComplete  メッセージで答え、この手順を完了する。５１４では、sCellToReleaseListに基づき、ユーザー端末は、ハンドオーバー前に構成設定されたSCellを解放する。RRCConnectionReconfigurationメッセージは、sCellToAddModListを含んでもよく、ユーザー端末に新しいSCellを構成設定する。RRCConnectionReconfigurationメッセージは、ターゲットeNBから受信したハンドオーバー命令に対応するmobilityControlInfoを含む。
【００４３】
図７を用いて説明する。１つの例示的な実施形態に基づくハンドオーバー中のSCell解放の方法６００は、６０２でソースeNBによって、少なくとも１つのSCellをユーザー端末に構成設定する。６０４でハンドオーバー決定が行われた後、６０６aでソースeNBは、candidateCellInfoList  を含むHandoverPreparationInformationメッセージを送信し、ターゲットeNBにハンドオーバー後に用いるSCellとして選択させる。次いで、ターゲットeNBは、ハンドオーバー命令にインジケータを含み、ユーザー端末に全ての構成設定されたSCellを解放するかどうかを判定させる。ハンドオーバー命令は、６０８でソースeNBに送信されるハンドオーバー要求Ackメッセージに含まれる。インジケータは、ハンドオーバーがeNB内か、またはeNB間ハンドオーバーかを示めす。次いで６１０で、ソースeNBは、mobilityControlInfoを含むRRCConnectionReconfigurationメッセージをユーザー端末に送信する。これを受けて６１２では、ユーザー端末は、RRCConnectionReconfigurationComplete  messageで答え、この手順を完了する。６１４では、インジケータがハンドオーバーがeNB間ハンドオーバーであると示した時、ユーザー端末は、ハンドオーバー前に構成設定された全てのSCellを解放する。RRCConnectionReconfigurationメッセージは、sCellToAddModList  toを含んでもよく、ユーザー端末に新しいSCellを構成設定する。RRCConnectionReconfigurationメッセージは、ターゲットeNBから受信したハンドオーバー命令に対応するmobilityControlInfoを含む。
【００４４】
上述の実施形態に基づき、ユーザー端末の全てのSCellは、ハンドオーバーがeNB間ハンドオーバーである時、解放される。上述のように、ハンドオーバーがeNB間ハンドオーバーの時に全てのSCellを解放することは、シグナリングオーバーヘッドを減少する。
【００４５】
図５を再度用いて説明する。１つの例示的な実施形態に基づく通信装置の機能ブロック図であり、ここに記述される通信装置のいずれかであり得る。通信装置３００は、メモリ３１０に保存されるプログラムコード３１２を含む。CPU３０８は、ここで述べられたプログラムコード３１２を実行し、上述の１つ以上の動作、ステップ、及び／または他の手順のいずれかを実行する。
【００４６】
この開示の種々の態様は上記に記述されている。ここでの教示が種々様々の形式で具体化されてもよいこと、及び、ここに開示されている任意の特定の構造、機能、または両方は単に代表に過ぎないことは明らかである。ここでの教示に基づいて、当業者は、ここで開示されたある態様が他の態様と無関係に実行され、２つ以上のこれらの態様が種々の方法で合成されてもよいことを認識するべきである。例えば、ここで説明された任意の数の態様を用いて、装置は実装されてもよいし、または方法は実践されてもよい。更に、他の構造、機能性、またはここで説明された態様の１つ以上に加えてまたはこれら以外での構造及び機能性を用いて実行されてもよい。上記の概念のうちのいくつかの例として、いくつかの態様では、同時チャネルはパルス繰返周波数に基づいて確立されてもよい。ある態様では、同時チャネルはパルス位置またはオフセットに基いて確立されてもよい。ある態様では、同時チャネルは時間ホッピングシーケンスに基づいて確立されてもよい。ある態様では、同時チャネルは、パルス繰返周波数、パルス位置またはオフセット、及び時間ホッピングシーケンスに基づいて確立されてもよい。
【００４７】
情報及び信号は、様々な異なる技術及び技法のうちのいずれかを使用して表され得ることを当業者は理解するであろう。例えば、以上の説明の至るところで参照され得るデータ、命令、コマンド、情報、信号、ビット、記号、及びチップは、電圧、電流、電磁波、磁場もしくは磁性粒子、光場もしくは光粒子、またはそれらの任意の組み合わせによって表され得る。
【００４８】
当業者は、種々の例示的な論理ブロック、モジュール、プロセッサ、手段、回路、及びここで開示された態様に関連して記述されたアルゴリズムステップが電子ハードウェア（例えば、デジタル実装、アナログ実装またはソースコーディングまたは他のいくつかの技術を用いて設計されてもよい２つの組み合わせ）、命令を取り込むプログラムまたは設計コードの種々の形式（ここでは利便性上、「ソフトウェア」または「ソフトウェアモジュール」と呼ぶ）、または、この両方の組み合わせとして実装されてもよいことをさらに認識するだろう。ハードウェア及びソフトウェアのこの交換可能性を明瞭に例示するために、様々な例示的な要素、ブロック、モジュール、回路、及びステップが、一般的に、それらの機能性に関して記述されている。かかる機能性がハードウェアまたはソフトウェアとして実装されるかどうかは、システム全体に課せられた特定の応用及び設計制約に依存する。当業者は、記述された機能性を、それぞれの特定の応用に関して様々な方法で実装してもよいが、かかる実装決定は、本開示範囲からの逸脱を引き起こすと解釈されるべきではない。
【００４９】
ここで開示された態様に関連して記述される種々の例示の論理ブロック、モジュール、及び回路は、集積回路（「IC」）内に実装されてもよいし、ICによって実行されてもよい。ICは、汎用プロセッサ、デジタル信号プロセッサ（DSP）、特定用途向け集積回路（ASIC）、フィールドプログラマブルゲートアレイ（FPGA）または他のプログラマブルロジックデバイス、個別のゲートまたはトランジスタロジック、個別のハードウェア構成機器、電子的コンポーネント、光学コンポーネント、機械的なコンポーネントまたはここに記述された機能を行うことを目指した任意のそれらの組み合わせを具備してもよく、またIC内部、IC外部、またはその両方に存在するコードまたは命令を実行してもよい。汎用プロセッサはマイクロプロセッサでもよいが、代わりに、プロセッサは任意の従来のプロセッサ、コントローラ、マイクロコントローラまたは状態機械でもよい。プロセッサはまた、コンピューティング装置の組み合わせ（例えば、DSPとマイクロプロセッサの組み合わせ、複数のマイクロプロセッサ、DSPコアと連動する１以上のマイクロプロセッサ、または任意の他のそのような構成）として実装されてもよい。
【００５０】
任意の開示されたプロセスにおける任意の特定の順序またはステップの階層が、サンプルアプローチの例であることは理解される。設計選択に基づいて、プロセスにおける任意の特定の順序またはステップの階層が、本開示の範囲内にありつつ再整理されてもよいことは理解される。伴う方法は、サンプル順序での種々のステップの現在の要素を請求し、現在の特定の順序またはステップの階層に限定することを意味しない。
【００５１】
ここで開示された態様に関連して記述された方法またはアルゴリズムのステップは、直接ハードウェアで、プロセッサによって実行されるソフトウェアモジュール、または２つの組み合わせにおいて具現化されてもよい。（例えば、実行可能命令及び関連するデータを含む）ソフトウェアモジュール及び他のデータは、RAMメモリ、フラッシュメモリ、ROMメモリ、EPROMメモリ、EEPROMメモリ、レジスタ、ハードディスク、リムーバブルディスク、CD−ROM、または当技術において既知のコンピュータ読取可能記憶媒体の任意の他の形式のようなデータメモリに存在してもよい。サンプル記憶媒体は、例えば（利便性上ここでは「プロセッサ」と呼ばれてもよい）コンピュータ／プロセッサのような機械につながれてもよく、そのようなプロセッサは情報（例えばコード）を記憶媒体から読み出し、記憶媒体へ書き込みすることができる。サンプル記憶媒体はプロセッサに不可欠かもしれない。プロセッサ及び記憶媒体はASIC内に存在してもよい。ASICはユーザー機器に存在してもよい。代替案では、プロセッサと記憶媒体はユーザー機器において個別部品として存在してもよい。さらに、いくつかの態様では、いずれか適切なコンピュータプログラム製品も、この開示の態様の１つ以上に関連するコードを具備するコンピュータ読取可能媒体を具備してもよい。ある態様では、コンピュータプログラム製品は包装材料を具備してもよい。
【００５２】
この発明は種々の態様に関連して記述されているが、この発明がさらなる変更ができることは理解される。本用途は、本発明の一般的な原理を用いて、本発明の任意の変形、使用または改造を含むことが意図される。さらに、本用途は、本発明が属する分野において公知の、または慣例的実施の範囲内に入るような本開示からの逸脱を含むことが意図される。
【符号の説明】
【００５３】
１００  E-UTRANのネットワーク構造
１０２  eNB
１０４  ユーザー端末（UE）
１０６  移動管理装置／サービングゲートウェイ
１０８  制御プレーン
１１０  ユーザプレーン
２００  多入力多出力（Multiple-Input  Multiple-Output；MIMO）システム
２１０  送信システム
２１２、２３６  データソース
２１４、２３８  送信（TX）データプロセッサ
２２０  TX  MIMOプロセッサ
２２２a〜２２２t  送信機
２２４a〜２２４t、２５２a〜２５２r  アンテナ
２３０、２７０  プロセッサ
２３２、２７２、３１０  メモリ
２４０  復調器
２５０  受信システム
２５４a〜２５４r  送信機
２８０  変調器
３００  通信デバイス
３０２  入力デバイス
３０４  出力デバイス
３０６  制御回路
３０８  中央処理装置（CPU）
３１２  プログラムコード
３１４  送受信機
５００、６００  方法
E-UTRAN  第三世代無線アクセス技術のアクセスネットワークの進化
MAC  媒体アクセス制御層
MME  移動管理装置
NAS  ネットワークアクセスストラタム層
PDCP  パケットデータコンバージェンスプロトコル層
PHY  物理層
RLC  無線リンク制御層
RRC  無線リソース制御層
S１、X２  インターフェース
S-GW  サービングゲートウェイ
【図１】
0005499006.tif 000002
【図２】
0005499006.tif 000003
【図３】
0005499006.tif 000004
【図４】
0005499006.tif 000005
【図５】
0005499006.tif 000006
【図６】
0005499006.tif 000007
【図７】
0005499006.tif 000008